(57)【要約】【課題】２．４ＧＨｚ帯や５ＧＨｚ帯の既存の複数のＴＤＤモデムをそのまま利用して準ミリ波帯〜ミリ波帯等の他の周波数帯域での無線通信を可能とするとともに，信号送信中のＴＤＤモデムの優先度や数に応じて通信信号の選択や合成を行うことにより，安定した通信及び状況に適応した通信を行えること。【解決手段】複数のＴＤＤモデム１Ａ，１Ｂごとに設けられたサーキュレータ１１，１２により送信信号と受信信号の伝送経路を分離し，各ＴＤＤモデム１Ａ，１Ｂの送信信号の有無を検出する検波器６１，６２の検出結果と各ＴＤＤモデムの優先度とに基づいて，複数のサーキュレータ１１，１２各々からの出力信号のいずれかを選択した信号，又は各信号の信号強度調節及び合成した信号を周波数変換後に送信アンテナ３１を通じて送信する。【選択図】図１
2009207017.tif 000002
【特許請求の範囲】
【請求項１】
時分割多重復信方式の複数のモデム各々により送受信される通信信号を相手側無線通信装置との間で無線信号により中継伝送する無線通信装置であって，
複数の前記モデムごとに設けられ，該モデムに接続された第１の接続端から入力される前記モデムの送信信号を第２の接続端へ出力するとともに第３の接続端から入力される前記モデムの受信信号を前記第１の接続端へ出力する複数のサーキュレータと，
複数の前記サーキュレータ各々の前記第２の接続端からの出力信号の合成もしくは選択により前記モデムの送信信号を含む信号を１つの出力端から出力する信号伝送調整手段と，
複数の前記モデムごとに設けられ，該モデムから前記信号伝送調整手段までの信号伝送経路において前記モデムから送信されるバースト信号の有無を検出する複数のバースト信号検出手段と，
複数の前記バースト信号検出手段の検出結果と複数の前記モデムについての予め設定された優先度とに基づいて前記信号伝送調整手段による信号出力動作を制御する制御手段と，
前記信号伝送調整手段の出力信号の周波数を既定の周波数幅分上げて出力する送信側周波数変換手段と，
前記送信側周波数変換手段の出力信号を無線送信する送信アンテナと，
無線信号を受信する受信アンテナと，
前記受信アンテナの受信信号の周波数を既定の周波数幅分下げて出力する受信側周波数変換手段と，
前記受信側周波数変換手段の出力信号を複数の前記サーキュレータ各々の前記第３の接続端へ分配する分波手段と，
を具備してなることを特徴とする無線通信装置。
【請求項２】
前記信号伝送調整手段が，複数の前記サーキュレータ各々の前記第２の接続端からの出力信号のいずれかを選択して１つの出力端から出力する信号選択手段であり，
前記制御手段が，１つの前記バースト信号検出手段のみが前記バースト信号の送信有りを検出中に，前記バースト信号を送信中の前記モデムに対応する前記サーキュレータからの出力信号が前記信号選択手段により選択及び出力されるよう制御するとともに，複数の前記バースト信号検出手段が前記バースト信号の送信有りを検出中に，前記バースト信号を送信中の複数の前記モデムの中で前記優先度が最も高いものに接続された前記サーキュレータからの出力信号が前記信号選択手段により選択及び出力されるよう制御してなる請求項１に記載の無線通信装置。
【請求項３】
前記信号伝送調整手段が，複数の前記サーキュレータごとに設けられ該サーキュレータの前記第２の接続端からの出力信号の強度を調節する複数の信号強度調節手段と，該信号強度調節手段各々による強度調節後の信号を合成して１つの出力端から出力する信号合成手段と，を具備し，
前記制御手段が，前記バースト信号の送信有りを検出中の前記バースト信号検出手段の数とこれに対応する前記モデムの優先度とに応じて前記信号強度調節手段各々の強度調節量を制御してなる請求項１に記載の無線通信装置。
【請求項４】
外部装置からの入力情報又は所定の操作入力手段を通じた入力情報に従って前記優先度を随時設定する第１の優先度設定手段を具備してなる請求項１〜３のいずれかに記載の無線通信装置。
【請求項５】
前記モデム各々の過去の通信実績に応じて前記優先度を随時自動設定する第２の優先度設定手段を具備してなる請求項１〜４のいずれかに記載の無線通信装置。
【請求項６】
前記送信側周波数変換手段が，２．４ＧＨｚ帯又は５ＧＨｚ帯の周波数の信号をミリ波帯又は準ミリ波帯の周波数の信号へ変換するものであり，
前記受信側周波数変換手段が，ミリ波帯又は準ミリ波帯の周波数の信号を２．４ＧＨｚ帯又は５ＧＨｚ帯の周波数の信号へ変換するものである請求項１〜５のいずれかに記載の無線通信装置。
【発明の詳細な説明】
【技術分野】
【０００１】
本発明は，時分割多重復信方式のモデムにより送受信される通信信号を相手側無線通信装置との間で無線信号により中継伝送する無線通信装置に関するものである。
【背景技術】
【０００２】
近年，携帯電話や無線ＬＡＮに代表される個人向け高周波無線通信システムが急速に普及している。
例えば，２．４ＧＨｚ帯無線ＬＡＮシステムは，ＩＳＭ（Ｉｎｄｕｓｔｒｉａｌ，Ｓｃｉｅｎｃｅ，ａｎｄ  Ｍｅｄｉｃａｌ）バンドの２．４〜２．５ＧＨｚ（１００ＭＨｚ帯域）を利用する。また，５ＧＨｚ帯無線ＬＡＮシステムも存在する。これらの無線ＬＡＮシステムは，無線チャンネル数の制限から，今後のさらなる普及によって周波数帯域の不足が顕在化し，十分な通信速度が得られなくなることが懸念される。
【０００３】
一方，１０ＧＨｚを超える準ミリ波〜ミリ波帯には広大な周波数帯域が残されている。この準ミリ波〜ミリ波帯の無線通信周波数としては，電気通信業務向けの加入者無線アクセス（ＦＷＡ：Ｆｉｘｅｄ Ｗｉｒｅｌｅｓｓ  Ａｃｃｅｓｓ）として，２２ＧＨｚ帯，２６ＧＨｚ帯，３８ＧＨｚ帯の周波数が既に割り当てられ，また，公共業務向けに１８ＧＨｚ帯の割り当てが準備されており，これらを合わせると４ＧＨｚ近い広帯域を利用することが可能となる。また，準ミリ波〜ミリ波帯の無線通信では，数十〜１００Ｍｂｐｓ以上の通信速度を実現可能であり，通信の高速化にも適している
従って，この準ミリ波〜ミリ波帯を無線データ通信に活用したブロードバンド無線通信システムの普及により，周波数帯域の不足の問題を解消し得る。
【０００４】
ところで，時分割多重復信（ＴＤＤ）方式の無線ＬＡＮシステム（２．４ＧＨｚ帯，５ＧＨｚ帯）におけるモデム（以下，ＴＤＤモデムという）は，既に普及して大幅な低コスト化が進んでいる。
一方，従来の準ミリ波〜ミリ波帯ＦＷＡシステムにおけるモデム等の通信機器は，前記無線ＬＡＮシステムの機器と異なる専用品であり，生産数が少なくコストが高い。
そこで，準ミリ波〜ミリ波帯ＦＷＡシステムに，既存の前記ＴＤＤモデムを有効活用できれば，ＦＷＡシステムの普及促進につながると考えられる。特に，準ミリ波〜ミリ波帯ＦＷＡシステムが，複数の前記ＴＤＤモデムを並行して使用，或いは自動切り替えして使用するものであればなお好適である。
例えば，複数の前記ＴＤＤモデムの並行使用により，通信データを並列伝送して高速通信が可能となる。また，複数の前記ＴＤＤモデムごとに個別の通信リンクを構成することにより，混信（通信データの交錯）の生じない（即ち，セキュリティ性が高い）システムを実現できる。また，複数の前記ＴＤＤモデムを自動切り替えにより，一部の前記ＴＤＤモデムが故障しても通信を継続できる冗長なシステムを実現できる。
【０００５】
例えば，特許文献１（図４）には，複数のＴＤＤモデムと接続されて準ミリ波〜ミリ波帯の無線通信を行う通信装置が示されている。特許文献１に示される通信装置は，通信チャンネルの異なる複数のＴＤＤモデム各々と接続される複数のサーキュレータにより，送信信号と受信信号の信号伝送経路を分離する。さらに，特許文献１に示される通信装置は，複数のＴＤＤモデムの送信信号を合成して周波数変換及び無線送信し，無線受信信号を周波数変換及び分配して複数のＴＤＤモデムに伝送する。これにより，無線ＬＡＮ用の複数の既存のＴＤＤモデムを，何ら加工を加えることなく並行使用することが可能となる。
【特許文献１】特開２００５−２５３０４４号公報
【発明の開示】
【発明が解決しようとする課題】
【０００６】
ところで，無線ＬＡＮ用の既存のＴＤＤモデムは，並列接続される他のＴＤＤモデムとの間で信号送信のタイミングを制御する機能は備えていない。そのようなＴＤＤモデムを複数用いた場合，それぞれ独立して動作する複数のＴＤＤモデムの信号送信の時間帯が重複することがある。
そして，複数のＴＤＤモデムの信号送信が重複する場合に，時間帯や各ＴＤＤモデムに接続される端末の利用者の権限等の状況に応じて，いずれのＴＤＤモデムの通信を優先するかを制御したいというニーズがある。しかしながら，特許文献１に示される通信装置は，そのようなニーズに対応できない。
また，特許文献１に示される通信装置は，通信チャンネル（通信信号の周波数帯）が重なる複数のＴＤＤモデムの利用には適していない。特許文献１に示される通信装置が，通信チャンネル（通信信号の周波数帯）の重なる複数のＴＤＤモデムに接続されると，複数のＴＤＤモデムの信号送信が重複する状況が増えた場合に信号の衝突が頻発し，通信速度の低下が顕著になるからである。
また，特許文献１に示される通信装置は，複数のＴＤＤモデムの送信信号の合成信号に対して周波数変換及び信号増幅を行う。従って，特許文献１に示される通信装置は，同じ時間帯に信号送信を行うＴＤＤモデムの数に応じて，前記合成信号の強度が変化し，アンテナを通じて無線送信される信号（信号増幅後の信号）の強度も変化する。そのため，特許文献１に示される通信装置において，無線送信信号の十分な強度を優先した信号増幅ゲインが設定された場合，同じ時間帯に信号送信を行うＴＤＤモデムの数が多いと，無線送信信号の強度が上限強度を超える恐れがある。また，特許文献１に示される通信装置において，無線送信信号の強度が上限強度を超えないことを優先した信号増幅ゲインが設定された場合，無線送信信号の強度が不足して通信が不安定になる恐れがある。
従って，本発明は上記事情に鑑みてなされたものであり，その目的とするところは，２．４ＧＨｚ帯や５ＧＨｚ帯の既存の複数のＴＤＤモデムをそのまま利用して準ミリ波帯〜ミリ波帯等の他の周波数帯域での無線通信を可能とするとともに，信号送信中のＴＤＤモデムの優先度や数に応じて通信信号の選択や合成を行うことにより，安定した通信及び状況に適応した通信を行うことができる無線通信装置を提供することにある。
【課題を解決するための手段】
【０００７】
上記目的を達成するために本発明に係る無線通信装置は，時分割多重復信方式の複数のモデム各々により送受信される通信信号を相手側無線通信装置との間で無線信号により中継伝送するものである。また，本発明に係る無線通信装置は，次の（１）〜（１０）に示される各構成要素を備えている。
（１）複数の前記モデムごとに設けられ，そのモデムに接続された第１の接続端から入力される前記モデムの送信信号を第２の接続端へ出力するとともに第３の接続端から入力される前記モデムの受信信号を前記第１の接続端へ出力する複数のサーキュレータ。
（３）複数の前記サーキュレータ各々の前記第２の接続端からの出力信号の合成もしくは選択により前記モデムの送信信号を含む信号を１つの出力端から出力する信号伝送調整手段。
（４）複数の前記モデムごとに設けられ，そのモデムから前記信号伝送調整手段までの信号伝送経路において前記モデムから送信されるバースト信号の有無を検出する複数のバースト信号検出手段。
（５）複数の前記バースト信号検出手段の検出結果と複数の前記モデムについての予め設定された優先度とに基づいて前記信号伝送調整手段による信号出力動作を制御する制御手段。
（６）前記信号伝送調整手段の出力信号の周波数を既定の周波数幅分上げて出力する送信側周波数変換手段。
（７）前記送信側周波数変換手段の出力信号を無線送信する送信アンテナ。
（８）無線信号を受信する受信アンテナ。
（９）前記受信アンテナの受信信号の周波数を既定の周波数幅分下げて出力する受信側周波数変換手段。
（１０）前記受信側周波数変換手段の出力信号を複数の前記サーキュレータ各々の前記第３の接続端へ分配する分波手段。
なお，前記送信側周波数変換手段が，２．４ＧＨｚ帯又は５ＧＨｚ帯の周波数の信号をミリ波帯又は準ミリ波帯の周波数の信号へ変換し，前記受信側周波数変換手段が，ミリ波帯又は準ミリ波帯の周波数の信号を２．４ＧＨｚ帯又は５ＧＨｚ帯の周波数の信号へ変換することが典型例である。
【０００８】
本発明に係る無線通信装置においては，前記サーキュレータの機能によって前記モデム（ＴＤＤモデム）の送信信号の経路（モデム→送信側周波数変換手段→送信アンテナ）と，受信信号の経路（受信アンテナ→受信側周波数変換手段→モデム）とが分離されている。そのため，前記モデムからＴＤＤ通信に同期した信号を取り出して送受信の信号経路を切り替えなくても，送信信号と受信信号との衝突が生じない安定した通信が実現される。従って，２．４ＧＨｚ帯や５ＧＨｚ帯の既存のＴＤＤモデムをそのまま有効活用して準ミリ波帯〜ミリ波帯等の他の周波数帯域での安定した（通信品質の高い）無線通信システムを実現できる。
また，前記制御手段は，複数の前記バースト信号検出手段の検出結果から，信号送信中の前記モデム，その数及びその優先度を把握できる。従って，前記制御手段が，信号送信中の前記モデム，その数及びその優先度に応じて送信信号の選択や合成を行うことにより，複数の前記モデム各々の通信状況や優先度に適応した通信が実現される。
【０００９】
前記信号伝送調整手段及び前記制御手段が，例えば，次の（１−１）及び（１−２）に示される構成を有していることが考えられる。
（１−１）前記信号伝送調整手段が，複数の前記サーキュレータ各々の前記第２の接続端からの出力信号のいずれかを選択して１つの出力端から出力する信号選択手段である。
（１−２）前記制御手段が，１つの前記バースト信号検出手段のみが前記バースト信号の送信有りを検出中に，前記バースト信号を送信中の前記モデムに対応する前記サーキュレータからの出力信号が前記信号選択手段により選択及び出力されるよう制御するとともに，複数の前記バースト信号検出手段が前記バースト信号の送信有りを検出中に，前記バースト信号を送信中の複数の前記モデムの中で前記優先度が最も高いものに接続された前記サーキュレｆータからの出力信号が前記信号選択手段により選択及び出力されるよう制御する。
この制御手段によれば，複数の前記モデムから同じ時間帯に信号送信が行われた場合に，前記優先度に応じて送信信号の選択が行われるの。そのため，前記モデム各々の通信チャンネルが重複していても，送信信号の衝突が回避される。
また，前記信号伝送調整手段及び前記制御手段が，例えば，次の（２−１）及び（２−２）に示される構成を有していることも考えられる。
（２−１）前記信号伝送調整手段が，複数の前記サーキュレータごとに設けられそのサーキュレータの前記第２の接続端からの出力信号の強度を調節する複数の信号強度調節手段と，その信号強度調節手段各々による強度調節後の信号を合成して１つの出力端から出力する信号合成手段とを具備している。
（２−２）前記制御手段が，前記バースト信号の送信有りを検出中の前記バースト信号検出手段の数とこれに対応する前記モデムの優先度とに応じて前記信号強度調節手段各々の強度調節量を制御する。
これにより，前記制御手段は，信号送信中の前記モデムの数が変化しても，前記信号合成手段の出力信号がほぼ一定レベルとなるように制御できる。その結果，無線送信信号の強度が上限を超えたり弱すぎたりするこをを回避でき，安定した通信を実現できる。また，前記制御手段が，前記優先度の低いモデムからの送信信号の強度がほぼゼロとなり，最も前記優先度の高い１つの前記モデムの送信信号のみが前記信号合成手段から出力されるよう前記強度調整量を制御することも可能である。
なお，前記優先度は，固定的に設定されたものに限られず，例えば，日時（時刻や曜日等）に応じて変化するよう予めスケジューリングされた優先度等も考えられる。
また，本発明に係る無線通信装置が，外部装置からの入力情報又は所定の操作入力手段を通じた入力情報に従って前記優先度を随時設定する優先度設定手段を備えることが考えられる。
また，本発明に係る無線通信装置が，前記モデム各々の過去の通信実績に応じて前記優先度を随時自動設定する機能を備えることも考えられる。
以上に示した前記優先度の設定機能により，状況変化に柔軟に対応できる通信制御を実現できる。
【発明の効果】
【００１０】
本発明に係る無線通信装置は，２．４ＧＨｚ帯や５ＧＨｚ帯の既存の複数のＴＤＤモデムに接続されることにより，準ミリ波帯〜ミリ波帯等の他の周波数帯域での無線通信を実現できる。また，本発明に係る無線通信装置は，信号送信中のＴＤＤモデムの優先度や数に応じて通信信号の選択や合成を行うことができるため，送信信号の衝突や信号強度の過不足のない安定した通信及び状況に適応した通信を行うことができる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１実施形態に係る無線通信装置Ｘ１の概略構成を表すブロック図，図２は本発明の第１実施形態に係る無線通信装置Ｘ２の概略構成を表すブロック図，図３は無線通信装置Ｘ２の応用例である無線通信装置Ｘ３の概略構成を表すブロック図である。
【００１２】
＜第１実施形態＞
まず，図１に示されるブロック図を参照しつつ，本発明の第１実施形態に係る無線通信装置Ｘ１について説明する。
無線通信装置Ｘ１は，いわゆる無線ＬＡＮに用いられる時分割多重復信（ＴＤＤ）方式のモデムである複数のＴＤＤモデム１Ａ，１Ｂに接続され，そのＴＤＤモデム１Ａ，１Ｂ各々により送受信される通信信号を，当該無線通信装置Ｘ１と同様の構成を有する相手側の無線通信装置との間で無線信号により中継伝送するものである。なお，本実施形態では，相手側へ送信する無線信号（無線送信信号）の周波数ｆｄと相手側から受信する無線信号（無線受信信号）の周波数ｆｕとは異なる。
また，図示していないが，各ＴＤＤモデム１Ａ，１Ｂには，パーソナルコンピュータ等の情報処理装置が，直接或いはＨＵＢ等の通信機器を介して接続され，前記ＴＤＤモデム１Ａ，１Ｂが，送信信号の変調と受信信号の復調とを行う。
【００１３】
図１に示すように，無線通信装置Ｘ１は，複数のサーキュレータ１１，１２，高周波スイッチ５ａ，分波器５２，周波数コンバータ２ｂ，送信バンドパスフィルタ４１及び受信バンドパスフィルタ４２，送信アンテナ３１及び受信アンテナ３２，複数の検波器６１，６２，並びに制御装置７等を備えている。
前記サーキュレータ１１，１２は，それぞれ３つの接続端子ｐ１，ｐ２，ｐ３を備え，前記ＴＤＤモデム１Ａ，１Ｂごとに設けられている。そして，前記サーキュレータ１１，１２は，前記ＴＤＤモデム１Ａor１Ｂに接続された第１接続端ｐ１から入力される前記ＴＤＤモデム１Ａ，１Ｂの送信信号を第２接続端ｐ２へ出力する。さらに，前記サーキュレータ１１，１２は，第３接続端ｐ３から入力される前記ＴＤＤモデム１Ａ，１Ｂの受信信号を前記第１接続端ｐ１へ出力する。
前記高周波スイッチ５ａは，複数の前記サーキュレータ１１，１２各々の第２接続端ｐ２と接続され，その第２接続端子ｐ２からの出力信号のいずれかを選択して１つの出力端から出力するものである（信号伝送調整手段及び信号選択手段の一例）。この高周波スイッチ５ａの信号切り替えの状態は，前記制御装置７によって制御されるが，その内容については後述する。
前記周波数コンバータ２ｂは，前記高周波スイッチ５ａの出力信号に対してその周波数ｆ０を既定の周波数幅（ｆｄ−ｆ０）だけ上げる周波数変換処理を施すアップコンバータ２１ｂ（送信側周波数変換手段）を備えている。そのアップコンバータ２１ｂにより周波数変換された後の送信信号は，前記送信バンドパスフィルタ４１を通じて前記送信アンテナ３１に対して伝送される。
前記アップコンバータ２１ｂは，ミキサ２１１と，そのミキサ２１１の出力信号の電力を増幅する大電力アンプ２１２と，前記周波数発振器２３１とを備えている。
前記ミキサ２１１は，前記サーキュレータ１１の第２接続端子からの出力信号に前記周波数発振器２３１の出力信号を混合することにより，既定周波数幅（ｆｄ−ｆ０）の周波数変換を行う。
例えば，前記アップコンバータ２１ｂは，２．４ＧＨｚ帯又は５ＧＨｚ帯の周波数の信号をミリ波帯又は準ミリ波帯の周波数の信号へ変換する。
【００１４】
前記送信アンテナ３１は，前記アップコンバータ２１ｂの出力信号を無線送信するアンテナである。
また，前記送信バンドバスフィルタ４１は，前記アップコンバータ２ｂから前記送信アンテナ３１への信号経路において，前記アップコンバータ２１ｂの出力信号における周波数ｆｄの帯域の信号成分を通過させる。さらに，前記送信バンドパスフィルタ４１は，相手側無線通信装置から受信される無線信号の周波数ｆｕの帯域の信号成分の通過を遮断する。
前記受信アンテナ３２は，相手側の無線通信装置から放射される無線信号を受信するアンテナである。
また，前記周波数コンバータ２ｂは，前記受信アンテナ３２の受信信号に対してその周波数ｆｕを既定の周波数幅（ｆｕ−ｆ０）だけ下げる周波数変換処理を施すダウンコンバータ２２ｂ（受信側周波数変換手段）を備えている。そのダウンコンバータ２２ｂにより周波数変換された後の受信信号は，前記分波器５２へ伝送される。
また，前記ダウンコンバータ２２ｂは，前記受信アンテナ３２による受信信号を増幅する低雑音アンプ２２２と，ミキサ２２１と，周波数発振器２３２とを具備している。前記ミキサ２２１は，前記低雑音アンプ２２２の出力信号に前記周波数発振器２３２の出力信号を混合することによって既定周波数幅（ｆｕ−ｆ０）の周波数変換を行う。
例えば，前記ダウンコンバータ２２ｂは，ミリ波帯又は準ミリ波帯の周波数の信号を２．４ＧＨｚ帯又は５ＧＨｚ帯の周波数の信号へ変換する。
【００１５】
また，前記受信バンドバスフィルタ４２は，前記受信アンテナ３２から前記ダウンコンバータ２２ｂへの信号経路において，前記受信アンテナ３２の受信信号における周波数ｆｕの帯域の信号成分を通過させる。さらに，前記受信バンドパスフィルタ４２は，前記送信アンテナ３１から送信される無線信号の周波数ｆｄの帯域の信号成分の通過を遮断する。
前記送信バンドパスフィルタ４１及び前記受信バンドパスフィルタ４２により，自局の前記送信アンテナ３１からの送信信号が自局の前記受信アンテナ３２で受信されても，その受信信号の内部への侵入が遮断される。その結果，安定した通信品質を確保することができる。なお，これらバンドパスフィルタが省略された構成も考えられる。
【００１６】
前記分波器５２は，前記ダウンコンバータ２２ｂの出力信号を，複数の前記サーキュレータ１１，１２各々の前記第３接続端ｐ３へ分配するものである。
前記無線通信装置Ｘ１においては，前記サーキュレータ１１，１２の機能によって前記ＴＤＤモデム１Ａ，１Ｂの送信信号の経路と受信信号の経路とが分離されている。そのため，前記ＴＤＤモデム１Ａ，１ＢからＴＤＤ通信に同期した信号を取り出して送受信の信号経路を切り替えなくても，送信信号と受信信号との衝突が生じない安定した通信が実現される。
従って，２．４ＧＨｚ帯や５ＧＨｚ帯の既存のＴＤＤモデムをそのまま有効活用して準ミリ波帯〜ミリ波帯等の他の周波数帯域での安定した（通信品質の高い）無線通信システムを実現できる。
【００１７】
前記検波器６１，６２は，複数の前記ＴＤＤモデム１Ａ，１Ｂごとに設けられている。そして，前記検波器６１，６２は，対応する前記ＴＤＤモデム１Ａ，１Ｂから前記サーキュレータ１１，１２各々の前記第１接続端ｐ１までの信号伝送経路において前記ＴＤＤモデム１Ａ，１Ｂから送信されるバースト信号の有無を検出するものである（バースト信号検出手段の一例）。
図１に示す例では，前記検波器６１，６２は，信号減衰器６１ａ，６２ａと高周波検出器６１ｂ，６２ｂとを備えている。
前記信号減衰器６１ａ，６２ｂは，前記ＴＤＤモデム１Ａ，１Ｂ各々の送信信号経路からの分岐経路に設けられている。そして，前記高周波検出器６１ｂ，６２ｂは，前記信号減衰器６１ａ，６２ａを経由後の信号のレベルが所定の設定レベルを超えるか否かによりバースト信号の有無を検出する。
【００１８】
前記制御装置７は，所定のプログラムを実行する不図示のＭＰＵと，複数の前記ＴＤＤモデム１Ａ，１Ｂ各々についての事前に設定された優先度を記憶する不図示の記憶手段（以下，優先度メモリという）とを備えている。
そして，前記制御装置７は，複数の前記検波器６１，６２各々によるバースト信号の検出結果と前記優先度とに基づいて，前記高周波スイッチ５ａの切り替え動作（信号出力動作）を制御する。その具体例は以下の通りである。
なお，以下の説明において，「バースト信号の送信有り」を検出中である前記検波器６１，６２に対応する前記ＴＤＤモデム１Ａ，１Ｂのことを，送信中モデムという。また，図１には，前記ＴＤＤモデム及びそれに接続される機器の組合せが２組である例が示されているが，その組合せが３組以上であることも考えられる。従って，以下の説明は，前記組合せが３組以上である場合も想定した説明となっている。
前記制御装置７は，複数の前記検波器のうちいずれか１つのみが「バースト信号の送信有り」を検出中である（前記送信中モデムが１つである）ときは，前記送信中モデムに対応する前記サーキュレータからの出力信号が，前記高周波スイッチ５ａにより選択及び出力されるよう制御する。
また，前記制御装置７は，複数の前記検波器が「バースト信号の送信有り」を検出中であるときは，原則として，前記送信中モデムの中で前記優先度が最も高いものに接続された前記サーキュレータからの出力信号が，前記高周波スイッチ５ａにより選択及び出力されるよう制御する。
但し，前記送信中モデムの前記優先度が同じである場合も考えられる。その場合，前記制御装置７は，前記優先度の最も高い複数の前記送信中モデムのうち信号送信の開始が最初のものに接続された前記サーキュレータからの出力信号が，前記高周波スイッチ５ａにより選択及び出力されるよう制御する。
即ち，前記制御装置７は，ある前記ＴＤＤモデムについて，その送信信号が相手側へ送信されているときに，そのモデムに対し前記優先度が同じ又は低い他の前記ＴＤＤモデムの信号送信の開始が検出されても，前記高周波スイッチ５ａの状態を変更しない。
【００１９】
前記無線通信装置Ｘ１において，前記制御装置７は，信号送信中の前記ＴＤＤモデム１Ａ，１Ｂがいずれであるか及びその数，さらに信号送信中の前記ＴＤＤモデム１Ａ，１Ｂ相互間の優先度の高低を把握できる。そして，前記制御装置７が，その把握内容に応じて送信信号の選択（即ち，有効とする前記ＴＤＤモデム１Ａor１Ｂの選択）を行うことにより，複数の前記ＴＤＤモデム１Ａ，１Ｂ各々の通信状況や優先度に適応した通信が実現される。
また，前記高周波スイッチ５ａにより送信信号が選択されるので，前記無線通信装置Ｘ１は，複数の前記ＴＤＤモデム１Ａ，１Ｂそれぞれの通信チャンネルが重複する場合においても使用できる。
【００２０】
＜第２実施形態＞
まず，図２に示されるブロック図を参照しつつ，本発明の第２実施形態に係る無線通信装置Ｘ２について説明する。
前記無線通信装置Ｘ２は，前記無線通信装置Ｘ１（図１参照）の一部の構成のみが変更されたものである。以下，前記無線通信装置Ｘ２における前記無線通信装置Ｘ１と異なる部分についてのみ説明する。なお，図２と図１とにおいて，同じ構成要素については同じ符号が付されている。
前記無線通信装置Ｘ２は，前記無線通信装置Ｘ１が備える構成に対し，前記高周波スイッチ５ａが合波器５ｂに置き換えられ，さらに，前記制御装置７の制御対象として複数の可変アッテネータ８１，８２が追加された構成を有している。また，前記無線通信装置Ｘ２における複数の前記ＴＤＤモデム１Ａ，１Ｂは，それぞれ通信チャンネル（周波数帯）の異なる（ｆ０１，ｆ０２）通信信号の送受信を行うものである。これに応じて，前記送信アンテナ３１から送信される無線信号の周波数ｆｄ’及び前記受信アンテナ３２により受信される無線信号の周波数ｆｕ’も前記無線通信装置Ｘ１におけるそれとは異なっている。
前記可変アッテネータ８１，８２は，複数の前記サーキュレータ１１，１２ごとに設けられ，対応する前記サーキュレータ１１，１２の前記第２接続端ｐ２からの出力信号の強度を，前記制御装置７からの指令に応じて調節する（減衰量を調節する）信号強度調節手段の一例である。
また，前記合波器５ｂは，前記可変アッテネータ８１，８２各々による強度調節後の信号を合成して１つの出力端から出力するものである。
即ち，前記可変アッテネータ８１，８２及び前記合波器５ｂは，複数の前記サーキュレータ１１，１２各々の前記第２接続端ｐ２からの出力信号を合成することにより，前記ＴＤＤモデム１Ａ，１Ｂの送信信号を含む信号を１つの出力端から出力する信号伝送調整手段の一例である。
【００２１】
そして，前記無線通信装置Ｘ２における前記制御装置７は，「バースト信号の送信有り」を検出中の前記検波器６１，６２の数と，その検波器６１，６２に対応する前記ＴＤＤモデム１Ａ，１Ｂの前記優先度とに応じて，前記可変アッテネータ８１，８２各々の強度調節量（減衰量）の合計とバランスとを制御する。
なお，図２には，前記ＴＤＤモデム及びそれに接続される機器の組合せが２組である例が示されているが，その組合せが３組以上であることも考えられる。従って，以下の説明は，前記組合せが３組以上である場合も想定した説明となっている。
例えば，前記制御装置７は，「バースト信号の送信有り」を検出中の前記検波器が１つのみである場合，前記送信中モデムの送信信号の伝送経路に存在する前記可変アッテネータによる信号減衰量をゼロ（減衰させずに通過させる状態）とする。そのとき，その他の前記可変アッテネータについては，例えば，信号減衰量を最大（前記合波器５ｂ側へ通過する信号強度がほぼゼロとなる状態）とすることが考えられる。
【００２２】
一方，前記制御装置７は，「バースト信号の送信有り」を検出中の前記検波器が複数存在する場合，前記優先度が最大ではない前記送信中モデムの送信信号の伝送経路に存在する前記可変アッテネータによる信号減衰量を最大とする。さらに，前記制御装置７は，前記優先度が最大である前記送信中モデムの送信信号の伝送経路に存在する前記可変アッテネータについては，そのモデムの数に応じて信号減衰量を設定する。
即ち，前記優先度が最大である前記送信中モデムがＮ［個］である場合，対応するＮ個の前記可変アッテネータ各々の信号減衰量は，信号強度が１／Ｎ倍に減衰されるよう設定される。このように，前記制御装置７は，信号送信中の前記ＴＤＤモデムの数が変化しても，前記合波器５ｂの出力信号がほぼ一定レベルとなるように制御する。
その結果，無線送信信号の強度が上限を超えたり弱すぎたりするこをを回避でき，安定した通信を実現できる。
また，前記無線通信装置Ｘ２における前記制御装置７が，前記無線通信装置Ｘ１における前記制御装置７と同様の制御ルールに従って，前記優先度の低い前記ＴＤＤモデムからの送信信号の強度がほぼゼロとなり，最も前記優先度の高い１つの前記ＴＤＤモデムの送信信号のみが出力されるよう前記信号減衰量を制御することも可能である。
【００２３】
また，前記無線通信装置Ｘ１及び前記無線通信装置Ｘ２における前記制御装置７が，以下に示される優先度設定機能を備えることが考えられる。
例えば，前記制御装置７が，不図示の数字キー等の操作入力部と接続され，その操作入力部を通じて入力される情報に従って前記ＴＤＤモデム１Ａ，１Ｂそれぞれの優先度を設定し，前記優先度メモリに記憶させる機能を備えることが考えられる。
また，前記制御装置７が，外部装置から情報を入力する通信インターフェースを備え，その通信インターフェースを通じて入力される情報に従って前記優先度を随時設定し，前記優先度メモリに記憶させる機能を備えることも考えられる。
或いは，前記制御装置７が，前記ＴＤＤモデム各々の通信実績を不図示のメモリに記録し，その記録内容（過去の通信実績）に応じて前記優先度を随時自動設定する機能を備えることも考えられる。
例えば，前記通信実績としては，例えば，前記ＴＤＤモデムごとのバースト信号の送信回数や送信時間等が考えられる。そして，前記制御装置７が，過去の通信実績から通信負荷の高い前記ＴＤＤモデムの優先度を低く設定すること等により，前記ＴＤＤモデム各々の通信負荷を平準化できる。
なお，前記優先度は，固定的に設定されたものに限られず，例えば，日時（時刻や曜日等）に応じて変化するよう予めスケジューリングされた優先度等も考えられる，
【００２４】
ところで，前記無線通信装置Ｘ１及び前記無線通信装置Ｘ２は，いずれも前記制御装置７が前記ＴＤＤモデム各々の優先度に基づいて信号伝送を制御するものであった。
一方，前記無線通信装置Ｘ２の応用例として，前記優先度を用いない無線通信装置Ｘ３も考えられる。図３は，そのような無線通信装置Ｘ３の概略構成を表すブロック図である。
前記無線通信装置Ｘ３は，前記無線通信装置Ｘ２（図２参照）の一部の構成のみが変更されたものである。以下，前記無線通信装置Ｘ３における前記無線通信装置Ｘ２と異なる部分についてのみ説明する。なお，図３と図１及び図２とにおいて，同じ構成要素については同じ符号が付されている。
前記無線通信装置Ｘ３は，前記無線通信装置Ｘ２が備える構成に対し，複数の前記サーキュレータ１１，１２ごとに設けられていた前記可変アッテネータ８１，８２が，前記合波器５ｂの出力信号の信号強度を調節する１つの可変アッテネータ８０に置き換えられた構成を有している。
そして，前記無線通信装置Ｘ３における前記制御装置７は，「バースト信号の送信有り」を検出中の前記検波器６１，６２の数に応じて，前記可変アッテネータ８０の強度調節量（減衰ゲイン）を制御する。
即ち，前記送信中モデムがＮ［個］である場合，対応するＮ個の前記可変アッテネータ各々の信号減衰量は，信号強度が１／Ｎ倍に減衰されるよう設定される。このように，前記制御装置７は，信号送信中の前記ＴＤＤモデムの数が変化しても，前記合波器５ｂの出力信号がほぼ一定レベルとなるように制御する。
その結果，無線送信信号の強度が上限を超えたり弱すぎたりするこをを回避でき，安定した通信を実現できる。
【００２５】
また，前記無線通信装置Ｘ１〜Ｘ３において，前記検波器６１，６２は，前記ＴＤＤモデム１Ａ，１Ｂから前記サーキュレータ１１，１２までの信号伝送経路に設けられている。
一方，前記検波器６１，６２は，例えば前記無線通信装置Ｘ１における前記ＴＤＤモデム１Ａ，１Ｂから前記高周波スイッチ５ａまでの信号伝送経路における他の位置に設けられることも考えられる。
同様に，前記検波器６１，６２は，例えば前記無線通信装置Ｘ２における前記ＴＤＤモデム１Ａ，１Ｂから前記可変アッテネータ８１，８２までの信号伝送経路における他の位置に設けられることも考えられる。
同様に，前記検波器６１，６２は，例えば前記無線通信装置Ｘ３における前記ＴＤＤモデム１Ａ，１Ｂから前記合波器５ｂまでの信号伝送経路における他の位置に設けられることも考えられる。
しかしながら，前記制御装置７の制御に要する時間を考慮すれば，前記検波器６１，６２は，前記ＴＤＤモデム１Ａ，１Ｂに対して極力近い位置に設けられることが望ましい。
【産業上の利用可能性】
【００２６】
本発明は，無線通信装置への利用が可能である。
【図面の簡単な説明】
【００２７】
【図１】本発明の第１実施形態に係る無線通信装置Ｘ１の概略構成を表すブロック図。
【図２】本発明の第１実施形態に係る無線通信装置Ｘ２の概略構成を表すブロック図。
【図３】無線通信装置Ｘ２の応用例である無線通信装置Ｘ３の概略構成を表すブロック図。
【符号の説明】
【００２８】
Ｘ１，Ｘ２，Ｘ３：無線通信装置
１Ａ，１Ｂ：ＴＤＤモデム
１１，１２：サーキュレータ
２ｂ      ：周波数コンバータ
２１ｂ    ：アップコンバータ
２２ｂ    ：ダウンコンバータ
２３１，２３２：周波数発振器
３１      ：送信アンテナ
３２      ：受信アンテナ
４１      ：送信バンドパスフィルタ
４２      ：受信バンドパスフィルタ
５ａ      ：高周波スイッチ
５ｂ      ：合波器
５２      ：分波器
６１，６２：検波器
７        ：制御装置
８１，８２：可変アッテネータ
【図１】
2009207017.tif 000003
【図２】
2009207017.tif 000004
【図３】
2009207017.tif 000005